(57)【要約】【課題】  本発明は植物の葉や花の形状通りに画用紙等の染め絵用用紙に転写状態で容易に染め絵を描くことができる植物の染め絵作成ブックを得るにある。【解決手段】  一端部のルーズリーフ孔にルーズリーフリングで綴じられた植物の染め絵を描くことができる複数枚の染め絵用用紙と、前記ルーズリーフリングに一端部が綴じられた、前記染め絵用用紙の裏面を覆うとともに、表面も覆うことができるほぼ２つ折りされた透明あるいは半透明の合成樹脂フィルムシートとで植物の染め絵作成ブックを構成している。【選択図】  図５
2005028776.tif 000002
【特許請求の範囲】
【請求項１】
一端部のルーズリーフ孔にルーズリーフリングで綴じられた植物の染め絵を描くことができる複数枚の染め絵用用紙と、前記ルーズリーフリングに一端部が綴じられた、前記染め絵用用紙の裏面を覆うとともに、表面も覆うことができるほぼ２つ折りされた透明あるいは半透明の合成樹脂フィルムシートとからなることを特徴とする植物の染め絵作成ブック。
【請求項２】
一端部のルーズリーフ孔にルーズリーフリングで綴じられた植物の染め絵を描くことができる複数枚の染め絵用用紙と、前記ルーズリーフリングに一端部が綴じられた前記染め絵用用紙の裏面を覆うとともに、表面も覆うことができるほぼ２つ折りされた透明あるいは半透明の合成樹脂フィルムシートと、この合成樹脂フィルムシートおよび前記複数枚の染め絵用用紙を覆うように前記ルーズリーフリングに一端部が綴じられた表表紙および裏表紙と、この表表紙、裏表紙のいずれか一方あるいは両方の内側面に設けられた、染め絵を描くときに使用するメッシュシート、薄い給水シート、ヘラ等を収納することができるポケットとからなることを特徴とする植物の染め絵作成ブック。
【請求項３】
ルーズリーフホルダーと、このルーズリーフホルダーの綴じ具に綴じられた植物の染め絵を描くことができる複数枚のルーズリーフ状の染め絵用用紙と、前記ルーズリーフホルダーの綴じ具に綴じられた前記染め絵用用紙の裏面を覆うとともに、表面も覆うことができるほぼ２つ折りされた透明あるいは半透明の合成樹脂フィルムシートとからなることを特徴とする植物の染め絵作成ブック。
【請求項４】
ルーズリーフホルダーと、このルーズリーフホルダーの綴じ具に綴じられた植物の染め絵を描くことができる複数枚のルーズリーフ状の染め絵用用紙と、前記ルーズリーフホルダーの綴じ具に綴じられた前記染め絵用用紙の裏面を覆うとともに、表面も覆うことができるほぼ２つ折りされた透明あるいは半透明の合成樹脂フィルムシートと、前記ルーズリーフホルダーの表表紙あるいは裏表紙のいずれかの内側面に設けた、染め絵を描くときに使用するメッシュシート、薄い給水シート、ヘラ等を収納することができるポケットとからなることを特徴とする植物の染め絵作成ブック。
【請求項５】
一端部のルーズリーフ孔にルーズリーフリングで綴じられた植物の染め絵を描くことができる複数枚の染め絵用用紙と、この染め絵用用紙の裏面および表面を着脱可能に覆うように取付けられた、２面が開口された透明あるいは半透明の合成樹脂フィルムシートを用いたクリヤーホルダーとからなることを特徴とする植物の染め絵作成ブック。
【発明の詳細な説明】
【技術分野】
【０００１】
本発明は植物の葉や花の色素を染め絵用用紙に転写状態で付着させて植物の染め絵を描く場合に使用する植物の染め絵作成ブックに関する。
【背景技術】
【０００２】
従来、植物の染め絵を描く場合には、綿や麻等の布地に植物の葉や花を位置させ、金槌で植物の葉や花をたたいて、該植物の葉や花の色素を布地に付着させて行なっている。
【発明の開示】
【発明が解決しようとする課題】
【０００３】
従来の植物の染め絵は植物の葉や花を金槌でたたいて布地に色素を移すため、植物の葉や花の形状通りに移すことが難しいとともに、表面に凹凸のある布地にしか染め絵が描けないという欠点があった。
【０００４】
本発明は以上のような従来の欠点に鑑み、植物の葉や花の形状通りに画用紙等の染め絵用用紙に転写状態で容易に染め絵を描くことができる植物の染め絵作成ブックを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は一端部のルーズリーフ孔にルーズリーフリングで綴じられた植物の染め絵を描くことができる複数枚の染め絵用用紙と、前記ルーズリーフリングに一端部が綴じられた、前記染め絵用用紙の裏面を覆うとともに、表面も覆うことができるほぼ２つ折りされた透明あるいは半透明の合成樹脂フィルムシートとで植物の染め絵作成ブックを構成している。
【発明の効果】
【０００７】
以上の説明から明らかなように、本発明にあっては次に列挙する効果が得られる。
【０００８】
（１）一端部のルーズリーフ孔にルーズリーフリングで綴じられた植物の染め絵を描くことができる複数枚の染め絵用用紙と、前記ルーズリーフリングに一端部が綴じられた、前記染め絵用用紙の裏面を覆うとともに、表面も覆うことができるほぼ２つ折りされた透明あるいは半透明の合成樹脂フィルムシートとで構成されているので、植物の染め絵を描く場合に、植物の葉や花を移動しないようにフィルムシートで支持することができる。
したがって、転写状態での染め絵を描くことができる。
【０００９】
（２）前記（１）によって、染め絵用用紙とフィルムシートが綴じられているので、バラバラになり、使用時に探したりする不具合を確実に防止することができる。
【００１０】
（３）前記（１）によって、フィルムシートをほぼ２つ折りしているので、染め絵用用紙より大きく突出することなく、染め絵用用紙とほぼ同じ大きさで綴じることができる。
したがって、スケッチブックと同様なきれいな仕上げにできる。
【００１１】
（４）前記（１）によって、構造が簡単で、容易に実施することができる。
【００１２】
（５）請求項２、３、４、５も前記（１）〜（４）と同様な効果が得られる。
【発明を実施するための最良の形態】
【００１３】
以下、図面に示す実施するための最良の形態により、本発明を詳細に説明する。
【００１４】
図１ないし図７に示す本発明の第１の実施の形態において、１は本発明の植物の染め絵作成ブックで、この植物の染め絵作成ブック１は一端部に所定間隔で多数個形成されたルーズリーフ孔２にルーズリーフリング３で綴じられた植物の染め絵を描くことができる複数枚の吸水性を有する染め絵用用紙４と、この染め絵用用紙４の下部裏面に位置するように前記ルーズリーフリング３に一端部が綴じられた、前記染め絵用用紙４の裏面を覆うとともに、表面も覆うことができるほぼ２つ折りされた透明あるいは半透明の合成樹脂フィルムシート５と、この合成樹脂フィルムシート５および前記複数枚の染め絵用用紙４を必要に応じて覆うように、前記ルーズリーフリング３に一端部が綴じられた表表紙６および裏表紙７とで構成されている。
【００１５】
上記構成の植物の染め絵作成ブック１を用いて植物の染め絵を行なう場合、一番後の染め絵用用紙４を開放するとともに、フィルムシート５の先端部を図４に示すように外方へ突出させる。
次に、０．数ｍｍ〜数ｍｍ程度の大きさの樹脂材を用いたメッシュシート８を染め絵用用紙４の表面に配置し、該メッシュシート８の上面に染め絵を描く植物の葉９や花１０を配置し、その上にティシュペーパーやトイレットペーパー等の薄い吸水シート１１を配置し、外方へ突出させたフィルムシート５でカバーするように覆う。
しかる後、カバーするように配置したフィルムシート５の上部よりヘラ１２を用いて、該フィルムシート５が移動しないようにたたいたり押し圧して、植物の葉９や花１０をメッシュシート８に押し圧して色素を流出させて染め絵用用紙４に付着させるとともに、余分に流出した色素を薄い吸水シート１１に吸着させ、転写状態での染め絵１３を描くことができる。
（発明を実施するための異なる形態）
【００１６】
次に、図８ないし図２１に示す本発明を実施するための異なる形態につき説明する。なお、これらの本発明を実施するための異なる形態の説明に当って、前記本発明を実施するための最良の形態と同一構成部分には同一符号を付して重複する説明を省略する。
【００１７】
図８および図９に示す本発明を実施するための第２の実施の形態において、前記本発明を実施するための最良の形態と主に異なる点は、表面が下面に位置するように複数枚の染め絵用用紙４をルーズリーフリング３で綴じるとともに、表表紙６と上部の染め絵用用紙４との間にフィルムシート５Ａを綴じた点で、このように構成した植物の染め絵作成ブック１Ａは上部の染め絵用用紙４を表表紙６の内側面上に位置させて、染め絵を描くことができる。
【００１８】
図１０および図１１に示す本発明を実施するための第３の実施の形態において、前記本発明の第２の実施をするための形態と主に異なる点は、染め絵用用紙４の上部部位あるいは下部部位で２つ折りすることができるフィルムシート５Ｂを用いた点で、このように形成されたフィルムシート５Ｂを用いて構成した植物の染め絵作成ブック１Ｂにしても、前記本発明の第２の実施をするための形態と同様な作用効果が得られる。
【００１９】
図１２ないし図１４に示す本発明を実施するための第４の実施の形態において、前記本発明の第１の実施をするための最良の形態と主に異なる点は、表表紙６の内側面に染め絵を描くときに使用するメッシュシート８、薄い吸水シート１１、ヘラ１２等を収納することができるポケット１４を設けた点で、このようにポケット１４を設けた植物の染め絵作成ブック１Ｃにしても、前記本発明の第１の実施をするための形態と同様な作用効果が得られるとともに、ポケット１４に染め絵を描くときに使用する用具を収納しておくことにより、用具を集める作業をすることなく、気軽に染め絵を描くことができる。
なお、前記第２、第３の実施をするための形態ではポケット１４を表表紙７の内側面に設けることにより、同様に実施することができる。
【００２０】
図１５および図１６に示す本発明の第５の実施をするための形態において、前記本発明の第２の実施をするための形態と主に異なる点は、ルーズリーフホルダー１５を用いるとともに、該ルーズリーフホルダー１５の綴じ具１６に複数枚の染め絵用用紙４およびフィルムシート５Ａを着脱可能に綴じた点で、このように構成した植物の染め絵作成ブック１Ｄにしても、前記本発明の第２の実施をするための形態と同様な作用効果が得られる。
【００２１】
図１７ないし図１９に示す本発明の第６の実施をするための形態において、前記本発明の第５の実施をするための形態と主に異なる点は、ルーズリーフホルダー１５の裏表紙７Ａの内側面にポケット１４を設けた点で、このように構成した植物の染め絵作成ブック１Ｅにしても、前記第４、第５の実施をするための形態と同様な作用効果が得られる。
【００２２】
図２０および図２１に示す本発明の第７の実施をするための形態において、前記本発明の第１の実施をするための最良の形態と主に異なる点は、２面が開口された透明あるいは半透明の合成樹脂フィルムシートを用いたクリアーホルダー１７を任意の染め絵用用紙４に着脱可能に取付けた点で、このようなクリアーホルダー１７を用いた植物の染め絵作成ブック１Ｆにしてもよい。
【産業上の利用可能性】
【００２３】
本発明は画用紙等を製造する産業および植物の染め絵作成ブックを使用して植物の染め絵を教える教育産業で利用される。
【図面の簡単な説明】
【００２４】
【図１】本発明の第１の実施の形態の斜視図。
【図２】本発明の第１の実施の形態の染め絵用用紙の説明図。
【図３】本発明の第１の実施の形態のフィルムシートの説明図。
【図４】本発明の第１の実施の形態のフィルムシートを開放した説明図。
【図５】本発明の第１の実施の形態の染め絵を描く場合の説明図。
【図６】本発明の第１の実施の形態のフィルムシートを押し圧する説明図。
【図７】本発明の第１の実施の形態の染め絵の説明図。
【図８】本発明の第２の実施の形態の斜視図。
【図９】本発明の第２の実施の形態のフィルムシートを開放した説明図。
【図１０】本発明の第３の実施の形態の斜視図。
【図１１】本発明の第３の実施の形態のフィルムシートを開放した説明図。
【図１２】本発明の第４の実施の形態の斜視図。
【図１３】本発明の第４の実施の形態のフィルムシートを開放した説明図。
【図１４】本発明の第４の実施の形態の表表紙を開放した説明図。
【図１５】本発明の第５の実施の形態の斜視図。
【図１６】本発明の第５の実施の形態のフィルムシートを開放した説明図。
【図１７】本発明の第６の実施の形態の斜視図。
【図１８】本発明の第６の実施の形態のフィルムシートを開放した説明図。
【図１９】本発明の第６の実施の形態の裏表紙を開放した説明図。
【図２０】本発明の第７の実施の形態の斜視図。
【図２１】本発明の第７の実施の形態の使用状態の説明図。
【符号の説明】
【００２５】
１、１Ａ、１Ｂ、１Ｃ、１Ｄ、１Ｅ、１Ｆ：植物の染め絵作成ブック、
２：ルーズリーフ孔、    ３：ルーズリーフリング、
４：染め絵用用紙、
５、５Ａ、５Ｂ：フィルムシート、
６：表表紙、            ７、７Ａ：裏表紙、
８：メッシュシート、    ９：葉、
１０：花、             
１１：薄い吸水シート、
１２：ヘラ、            １３：染め絵、
１４：ポケット、        １５：ルーズリーフホルダー、
１６：綴じ具、          １７：クリアーホルダー。
【図１】
2005028776.tif 000003
【図２】
2005028776.tif 000004
【図３】
2005028776.tif 000005
【図４】
2005028776.tif 000006
【図５】
2005028776.tif 000007
【図６】
2005028776.tif 000008
【図７】
2005028776.tif 000009
【図８】
2005028776.tif 000010
【図９】
2005028776.tif 000011
【図１０】
2005028776.tif 000012
【図１１】
2005028776.tif 000013
【図１２】
2005028776.tif 000014
【図１３】
2005028776.tif 000015
【図１４】
2005028776.tif 000016
【図１５】
2005028776.tif 000017
【図１６】
2005028776.tif 000018
【図１７】
2005028776.tif 000019
【図１８】
2005028776.tif 000020
【図１９】
2005028776.tif 000021
【図２０】
2005028776.tif 000022
【図２１】
2005028776.tif 000023